(57)【要約】【課題】  従来の体感競技中継装置は設備の規模が大きく、体感競技中継装置が設置されている場所に競技者が出向いてトレーニングを実施する必要があった。【解決手段】  輸送可能な１又は複数の筐体と、１又は複数の筐体の内部に配され、動物を収容する空間を有し、当該空間の酸素濃度が調整される低酸素室と、１又は複数の筐体の内部に配され、低酸素室に低酸素空気を供給する低酸素空気供給部とを備える。低酸素室及び低酸素空気供給部は、同一の筐体の内部に配されてよい。低酸素空気供給部が配される機械室と、低酸素室とを仕切る第１仕切部材をさらに備えてよい。【選択図】図１
2018117728.tif 000002
【特許請求の範囲】
【請求項１】
輸送可能な１又は複数の筐体と、
前記１又は複数の筐体の内部に配され、動物を収容する空間を有し、当該空間の酸素濃度が調整される低酸素室と、
前記１又は複数の筐体の内部に配され、前記低酸素室に低酸素空気を供給する低酸素空気供給部と、
を備える、環境模擬装置。
【請求項２】
前記低酸素室及び前記低酸素空気供給部は、同一の筐体の内部に配される、
請求項１に記載の環境模擬装置。
【請求項３】
前記低酸素空気供給部が配される機械室と、前記低酸素室とを仕切る第１仕切部材をさらに備える、
請求項２に記載の環境模擬装置。
【請求項４】
前記低酸素室には、
低酸素空気供給部が供給した低酸素空気を、前記低酸素室の内部に送り込む給気口と、
前記低酸素室の内部の空気を、前記低酸素室の外部に排出する排気口と、
が形成されており、
前記給気口は、前記排気口よりも高い位置に配される、
請求項１から請求項３までの何れか一項に記載の環境模擬装置。
【請求項５】
前記排気口の圧力損失は、前記給気口の圧力損失よりも大きい、
請求項４に記載の環境模擬装置。
【請求項６】
前記低酸素室の内部に配されたトレーニング機器をさらに備える、
請求項１から請求項５までの何れか一項に記載の環境模擬装置。
【請求項７】
映像を表示する表示部と、
前記トレーニング機器の負荷又は負荷の履歴に応じて、前記表示部に表示させる映像を制御する表示制御部と、
をさらに備える、
請求項６に記載の環境模擬装置。
【請求項８】
前記トレーニング機器に向かって空気を送り込む送風部と、
前記送風部が前記トレーニング機器の負荷又は負荷の履歴に応じた量の空気を送風するように、前記送風部を制御する送風制御部と、
をさらに備える、
請求項６又は請求項７に記載の環境模擬装置。
【請求項９】
前記トレーニング機器の利用者のバイタルデータを取得するバイタルデータ取得部と、
前記バイタルデータ取得部が取得した前記トレーニング機器の利用者のバイタルデータに基づいて、前記トレーニング機器を制御するトレーニング機器制御部と、
をさらに備える、
請求項６から請求項８までの何れか一項に記載の環境模擬装置。
【請求項１０】
前記低酸素室の内部の温度及び湿度の少なくとも一方を調整する空調部と、
前記空調部を制御する空調制御部と、
をさらに備える、
請求項１から請求項９までの何れか一項に記載の環境模擬装置。
【請求項１１】
前記低酸素空気供給部を制御する酸素濃度制御部をさらに備える、
請求項１から請求項１０までの何れか一項に記載の環境模擬装置。
【請求項１２】
前記環境模擬装置の利用状況を管理する利用状況管理部をさらに備え、
前記利用状況は、前記環境模擬装置が利用される時刻、及び、当該時刻における前記低酸素室の内部の酸素濃度に関する情報を含み、
前記酸素濃度制御部は、前記利用状況に基づいて、前記低酸素空気供給部を制御する、
請求項１１に記載の環境模擬装置。
【請求項１３】
前記１又は複数の筐体のそれぞれは、車両、船舶又は航空機を用いて輸送可能なコンテナ又はプレハブ建築物である、
請求項１から請求項１２までの何れか一項に記載の環境模擬装置。
【請求項１４】
前記１又は複数の筐体の少なくとも１つを積載するための架台と、前記架台に配された車輪とを有する車台をさらに備える、
請求項１から請求項１３までの何れか一項に記載の環境模擬装置。
【請求項１５】
車両を用いて輸送可能なコンテナ又はプレハブ建築物と、
前記コンテナ又はプレハブ建築物の内部に配され、人間を収容する空間を有し、当該空間の酸素濃度が調整される低酸素室と、
前記コンテナ又はプレハブ建築物の内部に配され、前記低酸素室に低酸素空気を供給する低酸素空気供給部と、
前記低酸素室の内部に配されたトレーニング機器と、
前記低酸素室の内部に配され、映像を表示する表示部と、
前記トレーニング機器の負荷又は負荷の履歴に応じて、前記表示部に表示させる映像を制御する表示制御部と、
（ｉ）前記低酸素空気供給部が配される機械室及び（ｉｉ）前記低酸素室を仕切る第１仕切部材と、
（ｉ）前記表示制御部が配される制御室及び（ｉｉ）前記低酸素室とを仕切る第２仕切部材と、
を備える、環境模擬装置。
【発明の詳細な説明】
【技術分野】
【０００１】
本発明は、環境模擬装置に関する。
【背景技術】
【０００２】
競技者の映像を視聴している視聴者が、当該競技者が体感している状況をリアルタイムに経験することを可能とする体感競技中継装置が知られている（例えば、特許文献１を参照されたい）。
［先行技術文献］
［特許文献］
［特許文献１］  特開２０００−３４２７１３号公報
【発明の概要】
【発明が解決しようとする課題】
【０００３】
従来の体感競技中継装置は設備の規模が大きく、体感競技中継装置が設置されている場所に競技者が出向いてトレーニングを実施する必要があった。
【課題を解決するための手段】
【０００４】
本発明の第１の態様においては、環境模擬装置が提供される。上記の環境模擬装置は、例えば、輸送可能な１又は複数の筐体を備える。上記の環境模擬装置は、１又は複数の筐体の内部に配され、動物を収容する空間を有し、当該空間の酸素濃度が調整される低酸素室を備えてもよい。上記の環境模擬装置は、１又は複数の筐体の内部に配され、低酸素室に低酸素空気を供給する低酸素空気供給部を備えてもよい。
【０００５】
上記の環境模擬装置において、低酸素室及び低酸素空気供給部は、同一の筐体の内部に配されてよい。上記の環境模擬装置は、低酸素空気供給部が配される機械室と、低酸素室とを仕切る第１仕切部材を備えてよい。上記の環境模擬装置において、低酸素室には、低酸素空気供給部が供給した低酸素空気を、低酸素室の内部に送り込む給気口が形成されていてよい。上記の環境模擬装置において、低酸素室には、低酸素室の内部の空気を、低酸素室の外部に排出する排気口が形成されていてよい。上記の環境模擬装置において、給気口は、排気口よりも高い位置に配されてよい。上記の環境模擬装置において、排気口の圧力損失は、給気口の圧力損失よりも大きくてよい。
【０００６】
上記の環境模擬装置は、低酸素室の内部に配されたトレーニング機器を備えてよい。上記の環境模擬装置は、映像を表示する表示部を備えてよい。上記の環境模擬装置は、トレーニング機器の負荷又は負荷の履歴に応じて、表示部に表示させる映像を制御する表示制御部を備えてよい。上記の環境模擬装置は、トレーニング機器に向かって空気を送り込む送風部を備えてよい。上記の環境模擬装置は、送風部がトレーニング機器の負荷又は負荷の履歴に応じた量の空気を送風するように、送風部を制御する送風制御部を備えてよい。上記の環境模擬装置は、トレーニング機器の利用者のバイタルデータを取得するバイタルデータ取得部を備えてよい。上記の環境模擬装置は、バイタルデータ取得部が取得したトレーニング機器の利用者のバイタルデータに基づいて、トレーニング機器を制御するトレーニング機器制御部を備えてよい。
【０００７】
上記の環境模擬装置は、低酸素室の内部の温度及び湿度の少なくとも一方を調整する空調部を備えてよい。上記の環境模擬装置は、空調部を制御する空調制御部を備えてよい。上記の環境模擬装置は、低酸素空気供給部を制御する酸素濃度制御部を備えてよい。上記の環境模擬装置は、環境模擬装置の利用状況を管理する利用状況管理部を備えてよい。上記の環境模擬装置において、利用状況は、環境模擬装置が利用される時刻、及び、当該時刻における低酸素室の内部の酸素濃度に関する情報を含んでよい。上記の環境模擬装置において、酸素濃度制御部は、利用状況に基づいて、低酸素空気供給部を制御してよい。
【０００８】
上記の環境模擬装置において、１又は複数の筐体のそれぞれは、車両、船舶又は航空機を用いて輸送可能なコンテナ又はプレハブ建築物であってよい。上記の環境模擬装置は、１又は複数の筐体の少なくとも１つを積載するための架台と、架台に配された車輪とを有する車台を備えてよい。
【０００９】
本発明の第２の態様においては、環境模擬装置が提供される。上記の環境模擬装置は、例えば、車両を用いて輸送可能なコンテナ又はプレハブ建築物を備える。上記の環境模擬装置は、コンテナ又はプレハブ建築物の内部に配され、人間を収容する空間を有し、当該空間の酸素濃度が調整される低酸素室を備えてよい。上記の環境模擬装置は、コンテナ又はプレハブ建築物の内部に配され、低酸素室に低酸素空気を供給する低酸素空気供給部を備えてよい。上記の環境模擬装置は、低酸素室の内部に配されたトレーニング機器を備えてよい。上記の環境模擬装置は、低酸素室の内部に配され、映像を表示する表示部を備えてよい。上記の環境模擬装置は、トレーニング機器の負荷又は負荷の履歴に応じて、表示部に表示させる映像を制御する表示制御部を備えてよい。上記の環境模擬装置は、（ｉ）低酸素空気供給部が配される機械室及び（ｉｉ）低酸素室を仕切る第１仕切部材を備えてよい。上記の環境模擬装置は、（ｉ）表示制御部が配される制御室及び（ｉｉ）低酸素室とを仕切る第２仕切部材を備えてよい。
【００１０】
なお、上記の発明の概要は、本発明の必要な特徴の全てを列挙したものではない。また、これらの特徴群のサブコンビネーションもまた、発明となりうる。
【図面の簡単な説明】
【００１１】
【図１】低酸素トレーニングユニット１００の一例を概略的に示す。
【図２】コンテナ１１０の外観の一例を概略的に示す。
【図３】コンテナ１１０の内部構成の一例を概略的に示す。
【図４】コンテナ１１０の内部構成の一例を概略的に示す
【図５】コンテナ１１０の内部構成の一例を概略的に示す。
【図６】低酸素トレーニングユニット１００のシステム構成の一例を概略的に示す。
【図７】制御装置３６０のシステム構成の一例を概略的に示す。
【発明を実施するための形態】
【００１２】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一または類似の部分には同一の参照番号を付して、重複する説明を省く場合がある。
【００１３】
図１は、低酸素トレーニングユニット１００の一例を概略的に示す。本実施形態において、低酸素トレーニングユニット１００は、コンテナ１１０と、車台１２０と、固定器具１３０とを備える。低酸素トレーニングユニット１００は、複数の固定器具１３０を有してよい。本実施形態において、コンテナ１１０の内部には、低酸素室１１２と、機械室１１４と、制御室１１６とが設けられる。本実施形態において、車台１２０は、車枠１２２と、車輪１２４と、連結装置１２６と、補助脚１２８とを有する。車台１２０は、複数の車輪１２４を有してよい。車台１２０は、複数の補助脚１２８を有してよい。
【００１４】
低酸素トレーニングユニット１００は、環境模擬装置の一例であってよい。コンテナ１１０は、輸送可能な筐体の一例であってよい。車枠１２２は、架台の一例であってよい。
【００１５】
本実施形態において、コンテナ１１０は、例えば、車両、船舶又は航空機を用いて輸送され得る。車両は、普通自動車であってもよく、トラクタなどの牽引車両であってもよい。航空機としては、飛行機、飛行船、ヘリコプタなどを例示することができる。
【００１６】
低酸素室１１２は、動物を収容する空間を有する。低酸素室１１２は、人間を収容するための空間を有してよい。低酸素室１１２は、１又は複数の人間が、低酸素室１１２の内部で各種のトレーニングを実行できる程度の大きさの空間を有してよい。
【００１７】
本実施形態において、低酸素室１１２の内部の空気中の酸素濃度（室内酸素濃度と称する場合がある。）が調整される。低酸素室１１２の室内酸素濃度を調整するために、例えば、（ｉ）低酸素室１１２に供給される流体の酸素濃度及び（ｉｉ）低酸素室１１２の気圧の少なくとも一方が調整される。低酸素室１１２の室内酸素濃度の設定値は、（ｉ）低酸素室１１２の外部の空気中の酸素濃度より小さくてもよく、（ｉｉ）常温常圧の大気中の酸素濃度より小さくてもよい。常温常圧の大気中の酸素濃度は、約２１体積％である。
【００１８】
低酸素室１１２の室内酸素濃度は、例えば、１０体積％〜２１体積％の範囲内で、任意の値又は範囲に調整される。低酸素室１１２の室内酸素濃度は、好ましくは、１３体積％〜２１体積％の範囲内で、任意の値又は範囲に調整される。例えば、低酸素室１１２の内部に富士山の山頂付近の環境を再現する場合、室内酸素濃度は１３．６体積％に調整される。低酸素室１１２の内部に海抜０ｍ付近の環境を再現する場合、室内酸素濃度は２１．０体積％に調整される。
【００１９】
酸素濃度計を利用して試料ガス中の酸素濃度を測定する場合、試料ガスが多量の水分を含むときには、酸素濃度計が試料ガス中の酸素濃度を正確に測定できないことがある。そこで、例えば、酸素濃度の測定精度が問題となる場合には、酸素濃度計を用いて測定された試料ガス中の酸素濃度の実測値が、当該試料ガス中の水分濃度に基づいて補正されてよい。例えば、酸素濃度計を用いて測定された試料ガス中の酸素濃度の実測値が、常温常圧の乾燥空気中の酸素濃度に換算される。低酸素室１１２の室内酸素濃度は、酸素濃度計による実測値に基づいて調整されてもよく、酸素濃度計による実測値が補正された値に基づいて調整されてもよい。
【００２０】
一実施形態によれば、低酸素室１１２の内部に、大気中の酸素濃度よりも酸素濃度の小さな空気（低酸素空気と称する場合がある。）が供給される。例えば、（ｉ）低酸素空気に含まれる酸素量（例えば、酸素濃度である。）及び（ｉｉ）低酸素空気の供給量の少なくとも一方が制御されることで、低酸素室１１２の室内酸素濃度が調整される。これにより、低酸素室１１２の内部に、例えば、常圧低酸素状態を再現することができる。この場合、低酸素室１１２は気密構造を有してもよく、気密構造を有しなくてもよい。
【００２１】
他の実施形態によれば、低酸素室１１２の気圧が調整される。低酸素室１１２の内部の気圧が制御されることで、低酸素室１１２の室内酸素濃度が調整される。この場合、低酸素室１１２は気密構造を有することが好ましい。
【００２２】
低酸素室１１２の内部の気圧は、（ｉ）低酸素室１１２の外部の気圧又は大気圧と同程度であってもよく、（ｉｉ）低酸素室１１２の外部の気圧又は大気圧より小さくてもよく、（ｉｉｉ）低酸素室１１２の外部の気圧又は大気圧より大きくてもよい。低酸素室１１２の内部の気圧が、低酸素室１１２の外部の気圧又は大気圧と同程度である場合（常圧低酸素環境と称する場合がある。）、ユーザは、低酸素トレーニングをより安全に実行することができる。
【００２３】
本実施形態において、機械室１１４には、低酸素室１１２の気圧及び室内酸素濃度を調整するための設備が配される。例えば、機械室１１４には、低酸素室１１２に、酸素濃度が調整された空気を供給するための設備が配される。制御室１１６には、低酸素トレーニングユニット１００の動作を制御するための設備が配される。例えば、制御室１１６に配された制御用の設備は、機械室１１４に配された設備の動作と、低酸素室１１２に配された設備の動作とを制御する。これにより、ユーザは、制御室１１６に配された制御用の設備を利用することで、低酸素室１１２内に任意のトレーニング環境を簡単に再現することができる。また、例えば、遠隔地から、低酸素トレーニングユニット１００の状態及び低酸素室１１２の内部の状態の少なくとも一方を監視したり、低酸素トレーニングユニット１００を操作したりすることもできる。
【００２４】
本実施形態において、車台１２０は、コンテナ１１０を搭載する。例えば、車枠１２２には、複数の車輪１２４が取り付けられている。これにより、牽引車両などを用いて、車枠１２２の上に搭載されたコンテナ１１０を輸送することができる。本実施形態において、連結装置１２６は、車台１２０と、車台１２０を牽引する牽引車両とを連結する。連結装置１２６の種類は特に限定されるものではないが、連結装置１２６としては、第五輪（Ｆｉｆｔｈ−ｗｈｅｅｌ  ｃｏｕｐｌｉｎｇ）を例示することができる。
【００２５】
本実施形態において、補助脚１２８及び固定器具１３０は、コンテナ１１０が設置場所に輸送された後、コンテナ１１０を当該設置場所に固定する。補助脚１２８及び固定器具１３０は、例えば、車輪１２４にかかる荷重を低減することで、コンテナ１１０を一時的に固定する。固定器具１３０は、昇降部材を有するリジッドであってよい。
【００２６】
本実施形態においては、輸送可能な筐体がコンテナである場合について説明した。しかしながら、輸送可能な筐体は、コンテナに限定されない。他の実施形態において、輸送可能な筐体は、プレハブ建築物であってもよい。
【００２７】
本実施形態においては、低酸素室１１２、機械室１１４及び制御室１１６が、単一のコンテナ１１０の内部に配される場合について説明した。しかしながら、低酸素トレーニングユニット１００は、本実施形態に限定されない。他の実施形態において、低酸素室１１２、機械室１１４及び制御室１１６が、複数の輸送可能な筐体に分割して配される。例えば、低酸素室１１２が第１の筐体に配され、機械室１１４及び制御室１１６が第２の筐体に配される。この場合において、複数の筐体の少なくとも１つが車台に搭載されてよい。
【００２８】
本実施形態において、コンテナ１１０の内部空間が低酸素室１１２として利用される場合について説明した。しかしながら、コンテナ１１０の内部空間の利用方法は本実施形態に限定されない。他の実施形態において、トレーニングユニットは、コンテナ１１０の内部空間の気圧及び酸素濃度の少なくとも一方を制御して、任意の環境を再現してよい。トレーニングユニットにより再現される環境としては、常圧環境、常圧低酸素環境、常圧高酸素環境、低圧環境、低圧低酸素環境、低圧高酸素環境、高圧環境、高圧低酸素環境、高圧高酸素環境などを例示することができる。
【００２９】
コンテナ１１０の内部空間の酸素濃度は、例えば、１０体積％〜３０体積％の範囲内で、任意の値又は範囲に調整される。コンテナ１１０の内部空間の酸素濃度は、好ましくは、１２体積％〜２７体積％の範囲内で、任意の値又は範囲に調整される。コンテナ１１０の内部空間の酸素濃度は、１４体積％〜２５体積％の範囲内で、任意の値又は範囲に調整されてもよい。
【００３０】
コンテナ１１０の内部空間（例えば、低酸素室１１２である。）は、当該空間の環境が調整される環境調整室の一例であってよい。空間の環境としては、温度、湿度、気圧、酸素濃度、及び、電磁波の放射量の少なくとも１つを例示することができる。電磁波としては、可視光線、赤外線、遠赤外線及び紫外線の少なくとも１つを例示することができる。
【００３１】
一実施形態において、コンテナ１１０の内部空間には、温度、湿度及び酸素濃度の少なくとも１つが調整された空気が供給される。例えば、コンテナ１１０の内部空間に供給される空気の酸素濃度及び供給量の少なくとも一方が調整されることで、コンテナ１１０の内部空間の酸素濃度が調整される。他の実施形態において、コンテナ１１０の内部空間の温度、湿度及び気圧の少なくとも１つが調整される。例えば、コンテナ１１０の内部空間の気圧が調整されることで、コンテナ１１０の内部空間の酸素濃度が調整される。
【００３２】
コンテナ１１０の内部空間に、酸素濃度が調整された空気を供給するための設備は、調整空気供給部及び環境調整部の一例であってよい。調整空気供給部としては、温度調整設備、湿度調整設備、低酸素空気生成設備、高酸素空気生成設備、二酸化炭素除去設備、一酸化炭素除去設備などを例示することができる。調整空気調整部、及び、コンテナ１１０の内部空間の気圧を調整するための設備は、環境調整部の一例であってよい。
【００３３】
図２〜図５を用いて、コンテナ１１０の一例について説明する。図２は、コンテナ１１０の外観の一例を概略的に示す。図３は、コンテナ１１０の内部構成の一例を概略的に示す。図４は、コンテナ１１０の内部構成の一例を概略的に示す。図５は、コンテナ１１０の内部構成の一例を概略的に示す。
【００３４】
図２及び図４に示されるとおり、本実施形態において、コンテナ１１０の本体２１０には、扉２２０と、扉４２０とが設けられる。本体２１０には、ダクト２３４と、ダクト２３６と、開口部２４０とが設けられる。
【００３５】
本実施形態において、本体２１０は略直方体の形状を有する。しかしながら、本体２１０の形状は本実施形態に限定されるものではない。本体２１０の材質は特に限定されるものではないが、本体２１０は、鋼板製であってよい。コンテナ１１０は、気密構造を有してもよく、気密構造を有しなくてもよい。コンテナ１１０は、雨水の侵入を防止するための構造を有してもよい。
【００３６】
本実施形態において、扉２２０は、機械室１１４へのユーザの入室、機械室１１４からのユーザの退室、機械室１１４への機器の搬入、機械室１１４からの機器の搬出などに利用される。本実施形態において、扉４２０は、制御室１１６へのユーザの入室、制御室１１６からのユーザの退室、制御室１１６への機器の搬入、制御室１１６からの機器の搬出などに利用される。
【００３７】
本実施形態において、ダクト２３４は、機械室１１４の壁面に設けられる。ダクト２３４は、機械室１１４の内部と、機械室１１４の外部との間で気体を流通させる。本実施形態において、ダクト２３６は、制御室１１６の壁面に設けられる。ダクト２３６は、制御室１１６の内部と、制御室１１６の外部との間で気体を流通させる。
【００３８】
本実施形態においては、低酸素室１１２とコンテナ１１０の外部との間で、気体を直接的に流通させるための設備が、低酸素室１１２に設けられていない場合について説明する。しかしながら、低酸素室１１２は本実施形態に限定されない。他の実施形態において、（ｉ）通常時には、低酸素室１１２とコンテナ１１０の外部との間の気体の直接的な流通を抑制し、（ｉｉ）緊急時には、低酸素室１１２とコンテナ１１０の外部との間で、気体を直接的に流通させて、強制的に換気を行うための換気装置が、低酸素室１１２に設けられてもよい。上記の換気装置は、制御室１１６に配された制御用の設備からの指示に基づいて動作してもよく、低酸素室１１２の内部に存在するユーザの指示に基づいて、動作してもよい。
【００３９】
本実施形態において、開口部２４０は、機械室１１４の壁面に設けられる。開口部２４０は、例えば、（ｉ）電源ケーブル、通信ケーブルなどの配線、（ｉｉ）給水管、排水管などの配管に利用される。排水管は、低酸素室１１２の空調設備と、当該空調設備の室外機（図示されていない。）とを接続する排水管であってもよい。空調設備の室外機は、例えば、コンテナ１１０の外部の適切な位置に配置される。空調設備の室外機は、機械室１１４の内部に配されてもよい。
【００４０】
一実施形態において、開口部２４０は、シーリング部材などを用いて封止される。他の実施形態において、開口部２４０は、コンテナ１１０の内部と、コンテナ１１０の外部との間で気体を流通させてもよい。なお、開口部２４０の設置箇所及び設置個数は本実施形態に限定されない。他の実施形態において、開口部２４０は、扉２２０に設けられてもよく、低酸素室１１２又は制御室１１６の壁面に設けられてもよい。
【００４１】
図２〜図４に示されるとおり、本実施形態において、コンテナ１１０の内部には、分電盤３０２が配される。本実施形態において、分電盤３０２は、外部電源からの電力を受電する。本実施形態において、分電盤３０２は、低酸素トレーニングユニット１００の各部に電力を供給する。外部電源は、系統電源あってもよく、発電設備であってもよく、蓄電設備であってもよい。
【００４２】
本実施形態において、コンテナ１１０の内部には、壁３０４と、壁３０６とが配される。壁３０４は、低酸素室１１２と、機械室１１４とを仕切る。壁３０４は、防音壁であってもよい。壁３０６は、低酸素室１１２と、制御室１１６とを仕切る。壁３０６は、防音壁であってもよい。壁３０４及び壁３０６により、コンテナ１１０の内部の空間が、低酸素室１１２、機械室１１４及び制御室１１６の３つの部屋に仕切られる。
【００４３】
本実施形態において、壁３０４には、給気口３０５が設けられる。本実施形態において、壁３０６には、観察窓３０７、排気口４０８及びドア４２２が設けられる。壁３０４は、第１仕切部材の一例であってよい。壁３０６は、第２仕切部材の一例であってよい。
【００４４】
本実施形態において、給気口３０５は、機械室１１４に配された機器から供給される低酸素空気を、低酸素室の内部に送り込む。排気口４０８は、低酸素室１１２の内部の空気を、低酸素室１１２の外部に排出する。給気口３０５は、排気口４０８よりも高い位置に配されてよい。これにより、給気口３０５から低酸素室１１２の内部に低酸素空気が送り込まれることで、低酸素室１１２の室内酸素濃度が調整される実施形態において、室内酸素濃度を効率よく低下させることができる。排気口４０８の圧力損失は、給気口３０５の圧力損失より大きくてもよい。これにより、低酸素室１１２の内部の空気の酸素濃度を効率よく調整することができる。
【００４５】
本実施形態において、観察窓３０７は、例えば、制御室１１６から、低酸素室１１２の内部の様子を観察するために利用される。本実施形態において、ドア４２２は、低酸素室１１２へのユーザの入室、低酸素室１１２からのユーザの退室、低酸素室１１２への機器の搬入、低酸素室１１２からの機器の搬出などに利用される。
【００４６】
本実施形態において、給気口３０５が配された壁３０４には、ユーザが低酸素室１１２に入退室するためのドアが配されていない。ユーザは、扉４２０を通過して制御室１１６に入室した後、ドア４２２を通過して低酸素室１１２に入室する。一方、低酸素空気は、給気口３０５から、低酸素室１１２に供給される。また、低酸素室１１２の内部の空気は、排気口４０８から、制御室１１６に排出される。本実施形態によれば、ユーザが低酸素室１１２に入退室するためのドアが壁３０４に配されている場合と比較して、ユーザの出入りに伴う低酸素室１１２の環境の変化を抑制できる場合がある。
【００４７】
ドア４２２は、給気口３０５及びドア４２２の間の最短距離が、排気口４０８及びドア４２２の間の最短距離よりも長くなるような位置に配されてもよい。本実施形態によれば、ユーザの出入りに伴う低酸素室１１２の環境の変化を抑制できる場合がある。
【００４８】
本実施形態において、低酸素室１１２に入退室するためのドア４２２が１つだけ設けられる場合について説明した。しかしながら、ドア４２２の配置は本実施形態に限定されない。他の実施形態において、低酸素室１１２に入退室するためのドア４２２が、低酸素室１１２の複数の箇所に設けられていてもよい。低酸素室１１２が複数のドア４２２を有する場合であっても、給気口３０５及び複数のドア４２２のそれぞれの間の最短距離の最小値が、排気口４０８及び複数のドア４２２のそれぞれの間の最短距離の最小値よりも長くなるような位置に、複数のドア４２２が配置されてよい。
【００４９】
［トレーニング設備の概要］
図３〜図５に示されるとおり、本実施形態において、低酸素室１１２の内部には、トレッドミル３１０が配される。トレッドミル３１０は、動物又は人間が歩行又は走行するためのトレッドミルであってもよく、スキー、ローラースキー、スケート、ローラースケート、ローラーブレード、自転車などで走行するためのトレッドミルであってもよい。トレッドミル３１０は、（ｉ）動物、人間などが走行することにより、トレッドミルのベルトが駆動する自走式のトレッドミルであってもよく、（ｉｉ）電動機、発動機などの駆動源がトレッドミルのベルトを駆動する駆動式のトレッドミルであってもよい。トレッドミル３１０は、トレーニング機器の一例であってよい。トレーニング機器の他の例としては、ローイングマシン、エルゴメータなどを例示することができる。
【００５０】
トレッドミル３１０は、トレッドミル３１０を操作するための操作パネル３１２を有してよい。操作パネル３１２は、トレッドミル３１０の状態を表示する表示装置を有してよい。一実施形態において、トレッドミル３１０は、負荷を調整することができる。例えば、トレッドミル３１０は、走行速度を調整することができる。他の実施形態において、トレッドミル３１０は、傾斜を調整することができる。
【００５１】
トレッドミル３１０は、制御装置３６０の指示に基づいて、負荷及び傾斜の少なくとも一方を調整してよい。トレッドミル３１０は、制御装置３６０の指示に基づいて、ＯＮ／ＯＦＦを切り替えてよい。トレッドミル３１０は、トレッドミル３１０の状態を示す情報を制御装置３６０に送信してよい。
【００５２】
本実施形態において、トレッドミル３１０は、傾斜台３１４の上に設置される。傾斜台３１４の上面は、水平に対して傾斜を有する。トレッドミル３１０によっては、上り勾配を再現することはできても、下り勾配を再現できない場合がある。また、トレッドミル３１０によっては、設定可能な下り勾配の勾配率の範囲が、設定可能な上り勾配の勾配率の範囲よりも小さい場合がある。このような場合であっても、トレッドミル３１０の勾配率の設定値が０％であるときに、トレッドミル３１０が水平に対して下り勾配を有するように、傾斜台３１４の上にトレッドミル３１０を設置することにより、下り勾配を十分に再現することができる。
【００５３】
本実施形態において、低酸素室１１２の内部には、トレッドミル３１０を使用しているユーザの安全を確保するための安全設備３１６が配されてよい。安全設備３１６は、命綱であってもよく、命綱及び当該命綱を巻き上げるウインチの組み合わせであってもよく、命綱及び滑車の組み合わせであってもよい。安全設備３１６は、制御装置３６０の指示に基づいて、命綱のテンションを調整してよい。安全設備３１６は、安全設備３１６の状態を示す情報を制御装置３６０に送信してよい。
【００５４】
本実施形態において、低酸素室１１２の内部に滞在するユーザは、当該ユーザのバイタルデータを取得するバイタルセンサ３１８を装着する。バイタルセンサ３１８は、ユーザの指に装着されてもよく、ユーザの手首に装着されてもよく、ユーザの胸に装着されてもよい。バイタルデータとしては、心拍数、血中酸素濃度、体温、血圧などに関する情報を例示することができる。バイタルセンサ３１８は、取得されたバイタルデータを制御装置３６０に送信してよい。バイタルセンサ３１８は、バイタルデータ取得部の一例であってよい。
【００５５】
［トレーニング環境を再現する設備の概要］
図３〜図５に示されるとおり、本実施形態において、低酸素室１１２の内部には、１又は複数の表示設備３２２と、１又は複数の固定部材３２４と、１又は複数の照明設備３２６とが配される。例えば、トレッドミル３１０を囲むように、３台の表示設備３２２が配される。本実施形態において、低酸素室１１２の内部には、調温設備３３２と、調湿設備３３４と、送風設備３３６と、センサユニット３３８とが配される。これにより、低酸素トレーニングユニット１００は、低酸素室１１２の内部に、任意のトレーニング環境を再現することができる。
【００５６】
本実施形態において、機械室１１４の内部には、低酸素空気生成設備３５２と、配管３５４と、圧縮空気生成設備３５６とが配される。本実施形態において、制御室１１６の内部には、制御装置３６０が配される。
【００５７】
表示設備３２２は、表示部の一例であってよい。調温設備３３２は、空調部の一例であってよい。調湿設備３３４は、空調部の一例であってよい。送風設備３３６は、送風部の一例であってよい。低酸素空気生成設備３５２は、低酸素空気供給部の一例であってよい。制御装置３６０は、表示制御部、空調制御部、送風制御部、トレーニング機器制御部、酸素濃度制御部、又は、利用状況管理部の一例であってよい。制御装置３６０は、制御室１１６に配された制御用の設備の一例であってよい。
【００５８】
なお、低酸素室１１２又は制御室１１６の内部には、低酸素室１１２の内部に滞在するユーザを撮像する撮像装置（図示されていない。）が配されてもよい。撮像装置は、カメラ及び赤外線カメラの少なくとも一方を有してよい。撮像装置は、画像と、当該画像が撮像された時刻とを対応付けて記録してもよい。これにより、トレーニングの状況と、ユーザの状況とを対応付けることができる。画像は、動画像であってもよく、静止画像であってもよい。
【００５９】
撮像装置は、画像のデータ、又は、画像及び当該画像が撮像された時刻が対応付けられたデータを制御装置３６０に送信してよい。制御装置３６０は、撮像装置から取得したデータを格納してよい。制御装置３６０は、（ｉ）撮像装置が撮像したユーザの画像と、（ｉｉ）当該画像が撮像された時刻と、（ｉｉｉ）当該時刻における、バイタルセンサ３１８が取得したバイタルデータとを対応付けて格納してもよい。
【００６０】
本実施形態において、表示設備３２２は、映像を表示する。例えば、表示設備３２２は、走行コースの映像を表示する。これにより、任意のトレーニング環境を再現することができる。表示設備３２２は、据付型の表示装置であってもよく、携帯型又はウェラブル型の表示装置であってもよい。表示設備３２２としては、液晶ディスプレイ、プラズマディスプレイ、有機ＥＬディスプレイ、ヘッドマウントディスプレイなどの映像表示装置を例示することができる。表示設備３２２は、音声を出力するスピーカを有してよい。表示設備３２２は、音声情報を出力する音声出力端子を有してもよい。
【００６１】
表示設備３２２は、制御装置３６０の指示に基づいて、映像を表示してよい。一実施形態において、表示設備３２２は、制御装置３６０から、ユーザに提示されるべき映像の映像データを取得する。表示設備３２２は、取得された映像データに基づいて、映像を表示する。他の実施形態において、表示設備３２２は、ユーザに提示されるべき映像の映像データを格納する。表示設備３２２は、制御装置３６０から、ユーザに提示されるべき映像を指示する情報を取得する。表示設備３２２は、取得された情報に基づいて、映像を表示する。表示設備３２２は、制御装置３６０の指示に基づいて、音声を出力してよい。表示設備３２２は、制御装置３６０の指示に基づいて、表示設備３２２のＯＮ／ＯＦＦを切り替えてよい。表示設備３２２は、表示設備３２２の状態を示す情報を制御装置３６０に送信してよい。
【００６２】
本実施形態において、固定部材３２４は、対応する表示設備３２２を任意の位置に固定する。例えば、固定部材３２４は、表示設備３２２を、低酸素室１１２の壁面に固定する。一実施形態において、固定部材３２４は、表示設備３２２と、低酸素室１１２の壁面との角度を任意の角度に調節することができる。
【００６３】
本実施形態において、照明設備３２６は、照明の色及び明るさの少なくとも一方を調整することができる。これにより、任意のトレーニング環境を再現することができる。照明設備３２６は、可視光照明装置を有してよい。可視光照明装置は、ＬＥＤ電球を有してよい。照明設備３２６は、可視光照明装置に代えて、又は、可視光照明装置に加えて、赤外線照射装置、遠赤外線照射装置、及び、紫外線照射装置の少なくとも１つを有してよい。これにより、任意のトレーニング環境をより忠実に再現することができる。
【００６４】
照明設備３２６は、制御装置３６０の指示に基づいて、照明の色及び明るさの少なくとも一方を調整してよい。照明設備３２６は、制御装置３６０の指示に基づいて、可視光照明装置、赤外線照射装置、遠赤外線照射装置、及び、紫外線照射装置の少なくとも１つのＯＮ／ＯＦＦを切り替えてよい。照明設備３２６は、照明設備３２６の状態を示す情報を制御装置３６０に送信してよい。
【００６５】
本実施形態において、調温設備３３２は、低酸素室１１２の内部の温度を調整する。これにより、任意のトレーニング環境を再現することができる。調温設備３３２としては、エアーコンディショナー、温風機、冷風機、ファンヒータ、ストーブなどを例示することができる。調温設備３３２は、制御装置３６０の指示に基づいて、低酸素室１１２の内部の温度を調整してよい。調温設備３３２は、制御装置３６０の指示に基づいて、調温設備３３２のＯＮ／ＯＦＦを切り替えてよい。調温設備３３２は、調温設備３３２の状態を示す情報を制御装置３６０に送信してよい。
【００６６】
本実施形態において、調湿設備３３４は、低酸素室１１２の内部の湿度を調整する。これにより、任意のトレーニング環境を再現することができる。調湿設備３３４としては、エアーコンディショナー、加湿器、除湿機などを例示することができる。調湿設備３３４は、制御装置３６０の指示に基づいて、低酸素室１１２の内部の湿度を調整してよい。調湿設備３３４は、制御装置３６０の指示に基づいて、調湿設備３３４のＯＮ／ＯＦＦを切り替えてよい。調湿設備３３４は、調湿設備３３４の状態を示す情報を制御装置３６０に送信してよい。
【００６７】
本実施形態において、送風設備３３６は、トレッドミル３１０に向かって空気を送り込む。これにより、トレーニング環境を再現することができる。送風設備３３６としては、送風ファンなどを例示することができる。送風設備３３６は、制御装置３６０の指示に基づいて、風量及び風向きの少なくとも一方を調整してよい。送風設備３３６は、制御装置３６０の指示に基づいて、ＯＮ／ＯＦＦを切り替えてよい。送風設備３３６は、送風設備３３６の状態を示す情報を制御装置３６０に送信してよい。
【００６８】
本実施形態において、センサユニット３３８は、低酸素室１１２の内部の環境に関する様々な物性値を測定する。センサユニット３３８は、例えば、低酸素室１１２の内部の空気の圧力、温度、湿度、及び、酸素濃度の少なくとも１つを測定する。センサユニット３３８は、測定データを制御装置３６０に送信してよい。センサユニット３３８は、複数のセンサにより構成されていてよい。例えば、センサユニット３３８は、温度、湿度及び気圧を測定するためのセンサと、酸素濃度を測定するためのセンサとを備える。
【００６９】
本実施形態において、低酸素空気生成設備３５２は、低酸素室１１２に低酸素空気を供給する。低酸素空気生成設備３５２は、例えば、圧縮空気生成設備３５６が生成した圧縮空気を利用して、酸素濃度が調整された空気を生成する。一実施形態において、低酸素空気生成設備３５２は、低酸素空気を生成する。他の実施形態において、大気中の酸素濃度よりも酸素濃度の大きな空気（高酸素空気と称する場合がある。）を生成する。
【００７０】
低酸素空気生成設備３５２は、制御装置３６０の指示に基づいて、低酸素空気の供給量及び酸素濃度の少なくとも一方を調整してよい。低酸素空気生成設備３５２は、制御装置３６０の指示に基づいて、低酸素空気生成設備３５２のＯＮ／ＯＦＦを切り替えてよい。低酸素空気生成設備３５２は、低酸素空気生成設備３５２の状態を示す情報を制御装置３６０に送信してよい。
【００７１】
本実施形態において、配管３５４は、低酸素空気生成設備３５２と、給気口３０５とを連結する。配管３５４は、例えば、低酸素空気生成設備３５２が生成した低酸素空気を給気口３０５に供給する。
【００７２】
本実施形態において、圧縮空気生成設備３５６は、圧縮空気を生成する。圧縮空気生成設備３５６は、生成された圧縮空気を低酸素空気生成設備３５２に供給する。圧縮空気生成設備３５６は、制御装置３６０の指示に基づいて、圧縮空気の供給量を調整してよい。圧縮空気生成設備３５６は、制御装置３６０の指示に基づいて、ＯＮ／ＯＦＦを切り替えてよい。圧縮空気生成設備３５６は、圧縮空気生成設備３５６の状態を示す情報を制御装置３６０に送信してよい。
【００７３】
［制御装置３６０の概要］
本実施形態において、制御装置３６０は、低酸素トレーニングユニット１００の動作を制御する。制御装置３６０は、低酸素トレーニングユニット１００の利用状況を管理してもよい。制御装置３６０における具体的な情報処理は後述する。制御装置３６０は、通信ネットワーク（図示されていない。）を介して、低酸素トレーニングユニット１００の各部との間で情報を送受することができる。
【００７４】
本実施形態において、通信ネットワークは、有線通信の伝送路であってもよく、無線通信の伝送路であってもよく、無線通信の伝送路及び有線通信の伝送路の組み合わせであってもよい。通信ネットワークは、無線パケット通信網、インターネット、Ｐ２Ｐネットワーク、専用回線、ＶＰＮ、電力線通信回線などを含んでもよい。通信ネットワークは、（ｉ）携帯電話回線網などの移動体通信網を含んでもよく、（ｉｉ）無線ＭＡＮ（例えば、ＷｉＭＡＸ（登録商標）である。）、無線ＬＡＮ（例えば、ＷｉＦｉ（登録商標）である。）、Ｂｌｕｅｔｏｏｔｈ（登録商標）、Ｚｉｇｂｅｅ（登録商標）、ＮＦＣ（Ｎｅａｒ  Ｆｉｅｌｄ  Ｃｏｍｍｕｎｉｃａｔｉｏｎ）などの無線通信網を含んでもよい。
【００７５】
［制御装置３６０の各部の具体的な構成］
制御装置３６０の各部は、ハードウェアにより実現されてもよく、ソフトウエアにより実現されてもよく、ハードウェア及びソフトウエアにより実現されてもよい。制御装置３６０の各部は、その少なくとも一部が、単一のサーバによって実現されてもよく、複数のサーバによって実現されてもよい。制御装置３６０の各部は、その少なくとも一部が、仮想サーバ上又はクラウドシステム上で実現されてもよい。制御装置３６０の各部は、その少なくとも一部が、パーソナルコンピュータ又は携帯端末によって実現されてもよい。携帯端末としては、携帯電話、スマートフォン、ＰＤＡ、タブレット、ノートブック・コンピュータ又はラップトップ・コンピュータ、ウエアラブル・コンピュータなどを例示することができる。制御装置３６０は、ブロックチェーンなどの分散型台帳技術又は分散型ネットワークを利用して、情報を格納してもよい。
【００７６】
制御装置３６０を構成する構成要素の少なくとも一部がソフトウエアにより実現される場合、当該ソフトウエアにより実現される構成要素は、一般的な構成の情報処理装置において、当該構成要素に関する動作を規定したソフトウエア又はプログラムを起動することにより実現されてよい。上記の情報処理装置は、（ｉ）ＣＰＵ、ＧＰＵなどのプロセッサ、ＲＯＭ、ＲＡＭ、通信インタフェースなどを有するデータ処理装置と、（ｉｉ）キーボード、タッチパネル、カメラ、マイク、各種センサ、ＧＰＳ受信機などの入力装置と、（ｉｉｉ）表示装置、スピーカ、振動装置などの出力装置と、（ｉｖ）メモリ、ＨＤＤなどの記憶装置（外部記憶装置を含む。）とを備えてよい。
【００７７】
上記の情報処理装置において、上記のデータ処理装置又は記憶装置は、上記のソフトウエア又はプログラムを記憶してよい。上記のソフトウエア又はプログラムは、プロセッサによって実行されることにより、上記の情報処理装置に、当該ソフトウエア又はプログラムによって規定された動作を実行させる。上記のソフトウエア又はプログラムは、非一時的なコンピュータ可読記録媒体に格納されていてもよい。上記のソフトウエア又はプログラムは、コンピュータを、制御装置３６０として機能させるためのプログラムであってよい。
【００７８】
本実施形態において、操作端末３６２は、制御装置３６０のユーザインタフェースを提供する。操作端末３６２としては、パーソナルコンピュータ、携帯端末などを例示することができる。携帯端末としては、携帯電話、スマートフォン、ＰＤＡ、タブレット、ノートブック・コンピュータ又はラップトップ・コンピュータ、ウエアラブル・コンピュータなどを例示することができる。
【００７９】
本実施形態においては、トレッドミル３１０が設置された低酸素室１１２の内部の空気中の酸素濃度が、低酸素室１１２の外部の空気中の酸素濃度、又は、大気中の酸素濃度とよりも小さい場合について説明した。しかしながら、トレッドミル３１０が設置された室内の酸素濃度は、本実施形態に限定されない。他の実施形態において、トレッドミル３１０が設置された部屋の内部の空気中の酸素濃度は、当該部屋の外部の空気中の酸素濃度、又は、大気中の酸素濃度より大きくてもよい。
【００８０】
図６及び図７を用いて、制御装置３６０の一例について説明する。図６は、低酸素トレーニングユニット１００のシステム構成の一例を概略的に示す。図７は、制御装置３６０のシステム構成の一例を概略的に示す。
【００８１】
本実施形態において、トレッドミル３１０は、操作パネル３１２と、コントローラ６１２と、駆動部６１４と、傾斜調整部６１６とを備える。本実施形態において、コントローラ６１２は、トレッドミル３１０の各部の動作を制御する。コントローラ６１２は、制御装置３６０からの指示に基づいて、トレッドミル３１０の各部を制御してよい。本実施形態において、駆動部６１４は、トレッドミル３１０を駆動する。駆動部６１４は、ユーザが走行するベルトを駆動するモータであってよい。本実施形態において、傾斜調整部６１６は、トレッドミル３１０の傾斜を調整する。
【００８２】
本実施形態において、センサユニット３３８は、酸素濃度計６２２と、温度センサ６２４と、湿度センサ６２６とを備える。酸素濃度計６２２は、低酸素室１１２の室内の空気の酸素濃度を測定する。一実施形態において、酸素濃度計６２２は、酸素濃度の実測値を室内の湿度に基づいて補正した値を出力する。他の実施形態において、酸素濃度計６２２は、酸素濃度の実測値を出力する。この場合、センサユニット３３８又は制御装置３６０が、酸素濃度の値を補正してもよい。なお、制御装置３６０は、酸素濃度計６２２が測定した酸素濃度の実測値に基づいて、各種の制御を実行してもよい。
【００８３】
温度センサ６２４は、低酸素室１１２の室内の空気の温度を測定する。湿度センサ６２６は、低酸素室１１２の室内の空気の湿度を測定する。なお、センサユニット３３８は、本実施形態に限定されない。他の実施形態において、センサユニット３３８は、低酸素室１１２の室内の空気の圧力を測定するための気圧センサ（図示されていない。）を有してもよい。
【００８４】
本実施形態において、制御装置３６０は、制御部７１０と、スケジュール管理部７２０と、格納部７３０とを備える。本実施形態において、制御部７１０は、入出力制御部７１２と、トレッドミル制御部７１４と、視聴覚情報制御部７１６と、室内環境制御部７１８とを有する。本実施形態において、格納部７３０は、コース情報格納部７３２と、トレーニング条件格納部７３４と、トレーニング履歴格納部７３６と、スケジュール情報格納部７４２と、環境制御情報格納部７４４とを有する。
【００８５】
入出力制御部７１２は、バイタルデータ取得部の一例であってよい。トレッドミル制御部７１４は、トレーニング機器制御部の一例であってよい。視聴覚情報制御部７１６は、表示制御部の一例であってよい。室内環境制御部７１８は、送風制御部、空調制御部又は酸素濃度制御部の一例であってよい。
【００８６】
本実施形態において、制御部７１０は、低酸素トレーニングユニット１００の各部の動作を制御する。本実施形態において、入出力制御部７１２は、制御装置３６０と、低酸素トレーニングユニット１００の各部との間の入出力を制御する。入出力制御部７１２は、低酸素トレーニングユニット１００の各部から、低酸素トレーニングユニット１００の各部の状態に関する情報を取得する。
【００８７】
例えば、入出力制御部７１２は、バイタルセンサ３１８から、バイタルデータを取得する。入出力制御部７１２は、センサユニット３３８から、測定データを取得してよい。入出力制御部７１２は、制御装置３６０の入力部から、ユーザ又は管理者の指示又は入力に関する情報を取得してよい。入出力制御部７１２は、操作端末３６２から、ユーザの指示又は入力に関する情報を取得してよい。
【００８８】
入出力制御部７１２は、制御装置３６０の出力部に、低酸素トレーニングユニット１００の各部の状態を示す情報を送信して、当該情報をユーザ又は管理者に提示させてよい。入出力制御部７１２は、制御装置３６０の出力部に、トレーニング中のユーザの状態を示す情報（例えば、バイタルセンサ３１８が取得したバイタルデータである。）を送信して、当該情報をユーザ又は管理者に提示させてよい。入出力制御部７１２は、操作端末３６２に、低酸素トレーニングユニット１００の各部の状態を示す情報を送信して、当該情報を低酸素室１１２の内部に存在するユーザに提示させてよい。入出力制御部７１２は、操作端末３６２に、トレーニング中のユーザの状態を示す情報（例えば、バイタルセンサ３１８が取得したバイタルデータである。）を送信して、当該情報を低酸素室１１２の内部に存在するユーザに提示させてよい。
【００８９】
本実施形態において、トレッドミル制御部７１４は、トレッドミル３１０を制御する。一実施形態において、トレッドミル制御部７１４は、入出力制御部７１２が受け付けたユーザからの指示に基づいて、トレッドミル３１０を制御する。例えば、トレッドミル制御部７１４は、トレーニング条件格納部７３４に格納されたトレーニング条件に基づいて、トレッドミル３１０を制御する。
【００９０】
他の実施形態において、トレッドミル制御部７１４は、入出力制御部７１２がバイタルセンサ３１８から取得したバイタルデータに基づいて、トレッドミル３１０を制御する。例えば、トレッドミル制御部７１４は、ユーザの血中酸素濃度が予め定められた値よりも小さくなると、ユーザの負荷を軽減する。ユーザの負荷を軽減するための手法としては、トレッドミル３１０の走行速度を遅くする、トレッドミル３１０の傾斜を緩するなどの手法を例示することができる。
【００９１】
さらに他の実施形態において、トレッドミル制御部７１４は、撮像装置が撮像したユーザの画像を解析して、ユーザの状態を判定する。例えば、トレッドミル制御部７１４は、撮像装置が撮像したユーザの画像を解析して、ユーザの表情、ユーザの姿勢、ユーザの身体の揺れなどに基づいて、ユーザの状態を判定する。トレッドミル制御部７１４は、撮像装置が撮像したユーザの赤外線画像を解析して、ユーザの体温、又は、ユーザの身体の特定の部位の温度に基づいて、ユーザの状態を判定してもよい。トレッドミル制御部７１４は、ユーザの状態に関する判定結果に基づいて、トレッドミル３１０を制御し、ユーザの負荷を調整してよい。
【００９２】
本実施形態において、トレッドミル制御部７１４は、入出力制御部７１２がバイタルセンサ３１８から取得したバイタルデータに基づいて、安全設備３１６を制御する。例えば、ユーザの血中酸素濃度が予め定められた値よりも小さくなると、命綱のテンションを増加させて、ユーザの負荷を軽減する。他の実施形態において、トレッドミル制御部７１４は、撮像装置が撮像したユーザの画像を解析して、ユーザの状態を判定する。トレッドミル制御部７１４は、ユーザの状態に関する判定結果に基づいて、安全設備３１６を制御し、ユーザの負荷を調整してよい。
【００９３】
本実施形態において、視聴覚情報制御部７１６は、表示設備３２２を制御する。例えば、視聴覚情報制御部７１６は、表示設備３２２に表示させる映像を制御する。視聴覚情報制御部７１６は、トレッドミル３１０の負荷又は負荷の履歴に応じて、表示設備３２２に表示させる映像を制御してよい。例えば、ユーザの走行速度又は走行距離に応じて、適切な位置の映像が表示されるように、表示設備３２２に表示させる映像を制御する。
【００９４】
視聴覚情報制御部７１６は、表示設備３２２に、トレーニング条件を表示させてもよい。視聴覚情報制御部７１６は、表示設備３２２に、トレーニングの進捗状況に関する情報を表示させてもよい。視聴覚情報制御部７１６は、表示設備３２２に、バイタルデータを表示させてもよい。視聴覚情報制御部７１６は、表示設備３２２に、ユーザ又は他のユーザの映像を表示させてもよい。
【００９５】
本実施形態において、視聴覚情報制御部７１６は、照明設備３２６を制御してもよい。視聴覚情報制御部７１６は、トレッドミル３１０の負荷又は負荷の履歴に応じて、照明設備３２６の照明の色及び明るさの少なくとも一方を制御してよい。例えば、ユーザの走行速度又は走行距離に応じて、適切な照明効果が得られるように、照明設備３２６を制御する。
【００９６】
本実施形態において、室内環境制御部７１８は、調温設備３３２、調湿設備３３４、送風設備３３６、低酸素空気生成設備３５２及び圧縮空気生成設備３５６の少なくとも１つを制御して、低酸素室１１２の室内環境を調整する。一実施形態において、室内環境制御部７１８は、入出力制御部７１２が受け付けたユーザからの指示に基づいて、低酸素室１１２の室内環境を調整する。他の実施形態において、室内環境制御部７１８は、トレーニング条件格納部７３４に格納されたトレーニング条件に基づいて、低酸素室１１２の室内環境を調整する。さらに他の実施形態において、トレッドミル３１０の負荷の履歴に応じて、低酸素室１１２の室内環境を調整する。これにより、室内環境制御部７１８は、走行とともに、気象条件が変化する様子を再現することができる。
【００９７】
例えば、室内環境制御部７１８は、調温設備３３２を制御して、低酸素室１１２の室内の空気の温度を調整する。室内環境制御部７１８は、調湿設備３３４を制御して、低酸素室１１２の室内の空気の湿度を調整する。これにより、任意の気象条件を再現することができる。
【００９８】
室内環境制御部７１８は、送風設備３３６を制御して、ユーザにあたる風の風量及び風向きを調整してよい。これにより、向かい風又は追い風を再現することができる。一実施形態において、送風設備３３６が１台である場合、室内環境制御部７１８は、送風設備３３６の羽根の回転方向を制御することにより、向かい風又は追い風を再現する。他の実施形態において、送風設備３３６が複数台である場合、室内環境制御部７１８は、送風設備３３６のそれぞれの（ｉ）ＯＮ／ＯＦＦ、（ｉｉ）風量及び（ｉｉｉ）風向きの少なくとも１つを制御することにより、向かい風又は追い風を再現する。
【００９９】
室内環境制御部７１８は、送風設備３３６がトレッドミル３１０の負荷又は負荷の履歴に応じた量の空気を送風するように、送風設備３３６を制御してもよい。例えば、室内環境制御部７１８は、トレッドミル３１０の走行速度が増加するにつれて、ユーザの前方からユーザに向かって吹く風の風量又は風速が増加するように、送風設備３３６を制御する。これにより、走行に伴う向かい風を再現することができる。
【０１００】
室内環境制御部７１８は、低酸素空気生成設備３５２及び圧縮空気生成設備３５６の少なくとも一方を制御して、低酸素室１１２の室内の空気の酸素濃度を調整してよい。例えば、室内環境制御部７１８は、低酸素空気生成設備３５２が生成する低酸素空気の供給量及び酸素濃度を制御してよい。
【０１０１】
一実施形態において、室内環境制御部７１８は、入出力制御部７１２が受け付けたユーザからの指示に基づいて、低酸素空気生成設備３５２が生成する低酸素空気の供給量及び酸素濃度を制御する。他の実施形態において、室内環境制御部７１８は、トレーニング条件格納部７３４に格納されたトレーニング条件に基づいて、低酸素空気生成設備３５２が生成する低酸素空気の供給量及び酸素濃度を制御する。
【０１０２】
さらに他の実施形態において、室内環境制御部７１８は入出力制御部７１２がバイタルセンサ３１８から取得したバイタルデータに基づいて、低酸素空気生成設備３５２が生成する低酸素空気の供給量及び酸素濃度を制御してよい。例えば、ユーザの血中酸素濃度が予め定められた値よりも小さくなると、低酸素空気生成設備３５２が生成する低酸素空気の供給量及び酸素濃度を増加させてよい。
【０１０３】
室内環境制御部７１８は、スケジュール管理部７２０が管理している低酸素トレーニングユニット１００の利用状況に応じて、低酸素空気生成設備３５２及び圧縮空気生成設備３５６の少なくとも一方を制御してもよい。これにより、ユーザが、低酸素トレーニングユニット１００が利用する時刻に、低酸素室１１２の室内の空気の酸素濃度を当該ユーザが希望する値に調整しておくことができる。
【０１０４】
本実施形態において、スケジュール管理部７２０は、低酸素トレーニングユニット１００の利用状況を管理する。利用状況は、低酸素トレーニングユニット１００が利用される時刻、及び、当該時刻における低酸素室１１２の環境に関する情報を含んでよい。低酸素室１１２の環境に関する情報としては、温度、湿度、気圧、室内酸素濃度及び照明に関する情報を例示することができる。利用状況は、低酸素トレーニングユニット１００が利用される時刻及び位置、並びに、当該時刻における低酸素室１１２の環境に関する情報を含んでもよい。
【０１０５】
例えば、低酸素トレーニングユニット１００の利用を希望するユーザは、低酸素トレーニングユニット１００を予約するためのＷｅｂサイト、アプリケーションプログラムなどを介して、利用希望時刻、及び、希望する環境に関する情報（予約情報と称する場合がある。）を、スケジュール管理部７２０に送信する。スケジュール管理部７２０は、上記の予約情報を受信すると、スケジュール情報格納部７４２に格納されている低酸素トレーニングユニット１００の利用予定に関する情報を参照して、当該予約の可否を判定する。予約が可能である場合、スケジュール管理部７２０は、受信された予約情報をスケジュール情報格納部７４２に格納する。予約が不可能である場合、スケジュール管理部７２０は、その旨をユーザに通知する。
【０１０６】
本実施形態において、格納部７３０は各種の情報を格納する。コース情報格納部７３２は、走行コースに関する情報を格納する。例えば、コース情報格納部７３２は、走行コースの各位置における映像を格納する。コース情報格納部７３２は、走行コースの各位置における傾斜情報を格納してもよい。コース情報格納部７３２は、走行コースの各位置における気象情報を格納してもよい。
【０１０７】
一実施形態において、コース情報格納部７３２は、走行コース上の任意の複数の位置の位置情報と、各位置における走行コースの映像を示す情報（例えば、映像のフレーム位置を示す情報である。）とを対応付けて格納する。他の実施形態において、コース情報格納部７３２は、走行コース上の任意の複数の位置の位置情報と、各位置における走行コースの映像を示す情報と、各位置における傾斜情報及び気象情報の少なくとも一方とを対応付けて格納する。さらに他の実施形態において、コース情報格納部７３２は、走行コース上の任意の複数の位置の位置情報と、各位置における傾斜情報と、各位置における気象情報とを対応付けて格納する。各位置の位置情報は、緯度経度情報であってよい。
【０１０８】
トレーニング条件格納部７３４は、トレーニングに関する設定条件を格納する。上記の設定条件としては、走行コース、走行計画、トレーニング条件などを例示することができる。トレーニング条件としては、トレーニングの負荷、バイタルデータの目標値、低酸素室１１２の室内環境などに関する条件を例示することができる。トレーニング条件は、（ｉ）トレージングを開始してからの時間、及び、走行コース上の位置の少なくとも一方に関する条件と、（ｉｉ）トレーニングの負荷、バイタルデータの目標値、低酸素室１１２の室内環境などに関する条件とが対応付けられた情報であってもよい。低酸素室１１２の室内環境に関する条件は、再現されるべき気象条件であってもよい。上記の設定条件は、走行コース上の位置情報と、当該位置における映像及びトレーニング条件の少なくとも一方に関する情報とを対応付けて格納してよい。
【０１０９】
トレーニング履歴格納部７３６は、トレーニングの履歴に関する情報を格納する。トレーニング履歴格納部７３６は、トレーニングの履歴に関する情報を、ユーザごとに格納してもよい。スケジュール情報格納部７４２は、低酸素トレーニングユニット１００の利用予定に関する情報を格納する。環境制御情報格納部７４４は、室内環境制御部７１８が、低酸素室１１２の室内環境を調整するための制御情報を格納する。制御情報としては、フィードバック量に関する情報、ＰＩＤコントローラのパラメータ値などを例示することができる。
【０１１０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。また、技術的に矛盾しない範囲において、特定の実施形態について説明した事項を、他の実施形態に適用することができる。その様な変更または改良を加えた形態も本発明の技術的範囲に含まれ得ることが、特許請求の範囲の記載から明らかである。
【０１１１】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【０１１２】
本願明細書には、例えば、下記の項目が記載されている。
［項目Ａ］
輸送可能な１又は複数の筐体と、
１又は複数の筐体の内部に配され、動物を収容する空間を有し、当該空間の環境が調整される環境調整室と、
１又は複数の筐体の内部に配され、環境調整室の環境を調整する環境調整部と、
を備える、環境模擬装置。
［項目Ｂ］
車両を用いて輸送可能なコンテナ又はプレハブ建築物と、
コンテナ又はプレハブ建築物の内部に配され、人間を収容する空間を有し、当該空間の環境が調整される環境調整室と、
コンテナ又はプレハブ建築物の内部に配され、環境調整室に、調整された空気を供給する調整空気供給部と、
環境調整室の内部に配されたトレーニング機器と、
環境調整室の内部に配され、映像を表示する表示部と、
トレーニング機器の負荷又は負荷の履歴に応じて、表示部に表示させる映像を制御する表示制御部と、
（ｉ）調整空気供給部が配される機械室及び（ｉｉ）環境調整室を仕切る第１仕切部材と、
（ｉ）表示制御部が配される制御室及び（ｉｉ）環境調整室を仕切る第２仕切部材と、
を備える、環境模擬装置。
【符号の説明】
【０１１３】
１００  低酸素トレーニングユニット、１１０  コンテナ、１１２  低酸素室、１１４  機械室、１１６  制御室、１２０  車台、１２２  車枠、１２４  車輪、１２６  連結装置、１２８  補助脚、１３０  固定器具、２１０  本体、２２０  扉、２３４  ダクト、２３６  ダクト、２４０  開口部、３０２  分電盤、３０４  壁、３０５  給気口、３０６  壁、３０７  観察窓、３１０  トレッドミル、３１２  操作パネル、３１４  傾斜台、３１６  安全設備、３１８  バイタルセンサ、３２２  表示設備、３２４  固定部材、３２６  照明設備、３３２  調温設備、３３４  調湿設備、３３６  送風設備、３３８  センサユニット、３５２  低酸素空気生成設備、３５４  配管、３５６  圧縮空気生成設備、３６０  制御装置、３６２  操作端末、４０８  排気口、４２０  扉、４２２  ドア、６１２  コントローラ、６１４  駆動部、６１６  傾斜調整部、６２２  酸素濃度計、６２４  温度センサ、６２６  湿度センサ、７１０  制御部、７１２  入出力制御部、７１４  トレッドミル制御部、７１６  視聴覚情報制御部、７１８  室内環境制御部、７２０  スケジュール管理部、７３０  格納部、７３２  コース情報格納部、７３４  トレーニング条件格納部、７３６  トレーニング履歴格納部、７４２  スケジュール情報格納部、７４４  環境制御情報格納部
【図１】
2018117728.tif 000003
【図２】
2018117728.tif 000004
【図３】
2018117728.tif 000005
【図４】
2018117728.tif 000006
【図５】
2018117728.tif 000007
【図６】
2018117728.tif 000008
【図７】
2018117728.tif 000009